(57)【要約】【課題】雑音の多い場所でも、外部の雑音の影響を受ける事なく、安定した正確な調律が可能なアコースティック弦楽器内蔵型調律器の提供。【解決手段】アコースティック弦楽器本体に調律器を装備し、弦を奏でて発音させた際の弦楽器本体の音響振動を感知する振動検出手段を弦楽器本体の共鳴胴内に設置した。これにより、いつでも即座に調律する事が可能になり、弦楽器本体内部の共鳴胴内に振動検出手段を設置した事で、雑音の多い場所でも、安定した正確な調律が可能となる。【選択図】　　　図１
2004085994.tif 000002
【特許請求の範囲】
【請求項１】
弦を奏でて発音させた際の弦楽器本体の音響振動を感知する振動検出手段と、該振動検出手段の出力信号を増幅する増幅回路と、前記増幅された信号をパルス状の信号に変換する波形成形回路と、前記パルス状の信号を、目的とする音の周波数に対する偏差を演算するマイクロコンピュータと、前記偏差を表示する表示装置を有する調律器を、アコースティック弦楽器の本体に装備したことを特徴とするアコースティック弦楽器内蔵型調律器。
【請求項２】
前記振動検出手段を、弦楽器本体内部の共鳴胴内に設置した事を特徴とする請求項１に記載のアコースティック弦楽器内蔵型調律器。
【請求項３】
前記振動検出手段に圧電素子を使用した事を特徴とする請求項２に記載のアコースティック弦楽器内蔵型調律器。
【請求項４】
請求項１に記載の表示装置は、弦楽器の側面に設置した事を特徴とする請求項１に記載のアコースティック弦楽器内蔵型調律器。
【発明の詳細な説明】
【０００１】
【発明の属する技術分野】
本発明は、弦楽器の調律器に関するものであり、アコースティック弦楽器の楽音を、目的とする音の基準との偏差をＬＥＤ、ＬＣＤ等の各種表示装置で表示する調律器に関するものである。
【０００２】
【従来の技術】
従来の調律器は、アコースティック弦楽器そのものに装備されたものは存在しなかった。また、ジャックを装備せず電気信号出力手段を持たない弦楽器は、一般的にマイクロホンを装備した調律器が別途に必要であり、この場合、静かなところでないと安定した正確な調律が困難であった。
【０００３】
【発明が解決しようとする課題】
従来は、アコースティックギター、バイオリン等のアコースティック弦楽器の調律において、一部の上級者を除き、別途に調律器を準備する必要があった。
この発明は、アコースティック弦楽器本体内部の共鳴胴内に振動検出手段を設けることにより、雑音の多い場所でも、外部の雑音の影響を受ける事なく、安定した正確な調律が可能となる事を目的とする。
【０００４】
【課題を解決するための手段】
この発明は、アコースティック弦楽器に調律器を装備し、音響振動の振動検出手段を弦楽器本体内部の共鳴胴内に設置する事により、別途に調律器を準備する必要がなく、いつでも即座に場所を選ばず（雑音の多い所、静かな所の）、アコースティック弦楽器を正確に調律する事を可能とした。
【０００５】
また、表示装置をアコースティック弦楽器の側面に装備する事により、調律する時の視認性を良好にした。
【０００６】
さらに、本発明の調律器をアコースティック弦楽器の側面に設けた事で、アコースティック弦楽器を発音させた時に、アコースティック弦楽器の表板、裏板の音響振動を妨げることなく、弦楽器そのものの持つ楽音を忠実に発音させる事を可能とした。
【０００７】
【発明の実施の形態】
以下、図面に基づき、本発明のアコースティック弦楽器内蔵型調律器の実施の形態について説明する。
【０００８】
図１に示すのは、本発明の調律器の電子回路の構成例を示す概略の回路ブロック図である。図１の振動検出手段１は、アコースティック弦楽器の弦を奏でた際の楽器の音響振動を感知する部分であり、感知した信号レベルは、５０ｍＶ以下という微弱信号であり、増幅回路２によって、この微弱信号を増幅させる。この増幅回路２の増幅度は、５００倍以上に設定し、信号波形を忠実に増幅させる。具体的な回路は、公知のものである。そして、この５００倍以上に増幅された信号は、波形成形回路３で、コンパレータ回路により波形成形され、パルス状の信号波形に変換され、マイクロコンピュータ４に入力される。このパルス状の信号をマイクロコンピュータ４では、目的とする周波数に対する偏差を演算し、その情報を表示装置５で表示する。
【０００９】
図２に示すのは、本発明の調律器をアコースティック弦楽器に装備した時の実施例である。６は本発明の調律器を示す。本発明の調律器をアコースティック弦楽器本体の共鳴胴内に入り込む形で装備している。そして、図３は図２の調律器６の拡大図を示しており、図１の振動検出手段１を調律器６のケースの内部へ設置したことで、アコースティック弦楽器に組み込んだ際（図２参照）、楽器の共鳴胴内に入り込む形になり、外部の雑音の影響を受け難くした構成となっている。
【００１０】
次に図４について説明する。図４は、図１の振動検出手段１に圧電素子を使用した場合の回路構成例を示す。圧電素子７により、感知した信号Ｓ１は、抵抗８で設定された入力インピーダンスにより、安定した流れでコンデンサ９に入力される。コンデンサ９は、一般的にカップリングコンデンサと呼ばれ、信号Ｓ１に含まれる直流成分を除去し、交流成分の信号Ｓ２をスムーズに増幅回路２に出力する。
【００１１】
次に図５について説明する。図５は、本発明の調律器をアコースティック弦楽器の側面に配置した実施例である。図５は、ほんの一例であるが、１０，１１，１２のようなアコースティック弦楽器の側面の位置に調律器の表示装置を設置する事で、調律する時の表示装置の視認性を良好にしている。さらに、楽器の楽音を発した時には、弦楽器の表板、裏板の音響振動妨げることなく、楽器そのものの持つ音質を忠実に発音することを可能としている。
【００１２】
【発明の効果】
以上説明したように本発明は、アコースティック弦楽器に調律器を装備する事により、別途に調律器を準備する必要がなくなり、いつでも即座に調律可能となる。
【００１３】
また、ジャックを装備せず電気信号出力手段を持たない弦楽器については、従来は、別途にマイクロホンを装備した調律器が必要で、この場合、静かなところでないと、安定した調律が困難であったが、弦楽器本体内部の共鳴胴内に音響振動の振動検出手段を設ける事により、雑音の多い場所でも外部の雑音の影響を受け難く、安定した調律が可能となる。さらに、表示装置を弦楽器の側面に装備する事により、調律する時の視認性を良好にした。
【００１４】
それに加えて、調律器を弦楽器の側面に設置した事で、発音させた際の弦楽器の表板、裏板の音響振動を妨げる事なく、弦楽器そのものの持つ楽音を忠実に発音させる事を可能とした。
【図面の簡単な説明】
【図１】本発明に関する調律器の概略の回路ブロック図である。
【図２】本発明の調律器をアコースティック弦楽器に装備した概念図である。
【図３】図２の調律器６の拡大図で、図１の振動検出手段１を内部に設置した実施例。
【図４】図１の振動検出手段１に圧電素子を使用した場合の回路構成例である。
【図５】本発明に関する調律器の表示装置をアコースティック弦楽器の側面に設置した一例の実施例である
【符号の説明】
１　　振動検出手段
２　　増幅回路
３　　波形成形回路
４　　マイクロコンピュータ
５　　表示装置
６　　調律器
７　　圧電素子
８　　抵抗
９　　コンデンサ
１０　調律器の表示装置の位置（一例）
１１　調律器の表示装置の位置（一例）
１２　調律器の表示装置の位置（一例）
【図１】
2004085994.tif 000003
【図２】
2004085994.tif 000004
【図３】
2004085994.tif 000005
【図４】
2004085994.tif 000006
【図５】
2004085994.tif 000007